(57)【要約】【課題】これまでの粘稠体用容器は、容器内の粘稠体が残り少なくなった場合に、残りの粘稠体が出にくくなるという、必ずしも使い勝手のよいものではなかった。それは、これまでの粘稠体用容器自体の構造上の欠陥に起因するものであり、構造上の改善を図らなければ問題の解決にならないものであった。本発明は、従来技術のこうした課題を解消するために開発したもので、容器内の粘稠体が少量になった際に、容器を分割して残りの粘稠体を利用できる粘稠体用容器を提供しようというものである。【解決手段】粘稠体用容器において、粘稠体用容器の狭搾部近傍を、横に周回する状態に、容器本体部と容器吐出部とに分割して成型し、かつ、前記容器本体部と容器吐出部の両切り口を結合できる、合成樹脂素材によるつまみ部を有する紐状の紐状体を用いて、容器本体部と容器吐出部とを融着させて成型する。【選択図】  図１
2005015044.tif 000002
【特許請求の範囲】
【請求項１】
粘稠体用容器において、粘稠体用容器の狭搾部（１）近傍を、横に周回する状態に、容器本体部（２）と容器吐出部（３）とに分割して成型し、かつ、前記容器本体部（２）と容器吐出部（３）との両切り口を結合できる、合成樹脂素材による、つまみ部（５）を有する紐状の紐状体（４）を用いて融着させて成型したことを特徴とする粘稠体用容器。
【発明の詳細な説明】
【０００１】
【発明の属する技術分野】
本発明は、マヨネーズやトマトケチャップなどの粘稠体用の容器に関するもので、詳しくは容器内の粘稠体が少量になった際に、容器を分割して残りの粘稠体を利用できる粘稠体用容器に関する。
【０００２】
【従来の技術】
従来の粘稠体用容器は、容器内に粘稠体が入るために、粘稠体用容器自体は、外部から容器内に入っている粘稠体を押し出して使用できるように、柔らかい合成樹脂素材などで成型されている。従って、容器内の粘稠物を使用するには、外部から出口に向けて中の粘稠体を押し出して用いることになる。だか容器内の粘稠体の残りが少なくなると、容器内から粘稠物の全部を容器の外に押し出すことが容易ではない。それは、従来の粘稠体用容器が狭搾部１があることによって、この狭搾部１部分では、内容物の粘稠体を押し出しにくくなっていることに原因があるものと思われる。従って従来の粘稠体用容器は、元々内容物を全部押し出す出すことが大変難しく、全量を完全に使い切ることが極めて容易ではなかった粘稠体用容器ということができる。
【０００３】
【発明が解決しようとする課題】
これまでの粘稠体用容器は、従来の技術で述べたように、容器内の粘稠体が残り少なくなった場合に、残りの粘稠体が出にくくなるという、必ずしも使い勝手のよいものではなかった。それは、これまでの粘稠体用容器自体の構造上の欠陥に起因するものであり、構造上の改善を図らなければ問題の解決にならないものであった。本発明は、従来技術のこうした課題を解消するために開発したもので、容器内の粘稠体が少量になった際に、容器を分割して残りの粘稠体を利用できる粘稠体用容器を提供しようとするものである。
なお、本発明の出願にあたり、本発明と同様の先行技術や特許出願、商品カタログなどが有するか否かについて、情報調査をしてみたが本発明に類似する一切の資料は見当たらなかった。
【０００４】
【課題を解決するための手段】
上記目的を達成するために、本発明における粘稠体用容器は、次のような構成としている。
【請求項１】粘稠体用容器において、粘稠体用容器の狭搾部１近傍を、横に周回する状態に、容器本体部２と容器吐出部３とに分割して成型し、かつ、前記容器本体部２と容器吐出部３の両切り口を結合できる、合成樹脂素材によるつまみ部５を有する紐状の紐状体４を用いて、容器本体部２と容器吐出部３とを融着させて成型する。
【０００５】
【発明の実施の形態】
本発明になる本粘稠体用容器は、粘稠体用容器の狭搾部１近傍において、横に周回する状態に、容器本体部２と容器吐出部３とに分割して成型したものを、さらに、前記容器本体部２と容器吐出部３との両切り口を結合できる、合成樹脂素材によるつまみ部５を有する紐状の紐状体４を用いて、狭搾部１近傍を横に周回する状態に、容器本体部２と容器吐出部３とを融着させて成型している。
【０００６】
本発明は、上記のように構成されているので、本粘稠体用容器は中身の粘稠体が少なくなって、残量が容器吐出部３に溜まるようになった際に、つまみ部５を指で摘まんで引っ張る。すると、紐状体４が、容器本体部２と容器吐出部３との融着部分から剥離し、容器吐出部３から容器本体部２を切り離すことができる。
【０００７】
このようにして、容器本体部２から切り離した容器吐出部３は、容器出口６を下に向けて置くと、切り口を上にして立つことになる。この容器吐出部３内の残余の粘稠体を、容器吐出部３の切り口のところから取り出すことによって、残余の粘稠体の全てを使用することができる。
【０００８】
【実施例】
本発明の実施例について図面を参照に説明する。
図１〜図４は、本発明の一実施例である。図１は、つまみ部５を有する紐状の紐状体４を用いて、容器本体部２と容器吐出部３とを融着させて成型した粘稠体用容器の斜視図。図２は、粘稠体用容器の狭搾部１近傍を、横に周回する状態に、容器本体部２と容器吐出部３とに分割して成型した粘稠体用容器の部分斜視図。図３は、容器本体部２を切り離した容器吐出部３の斜視図。図４は、切り離しの形状を波状にした容器本体部２と容器吐出部３との部分正面図である。
【０００９】
本粘稠体用容器は、粘稠体用容器の狭搾部１近傍を、横に周回する状態に、容器本体部２と容器吐出部３とに分割して成型したものを、さらに、前記容器本体部２と容器吐出部３の両切り口を結合できる、合成樹脂素材によるつまみ部５を有する紐状の紐状体４を用いて、狭搾部１近傍を横に周回する状態に、容器本体部２と容器吐出部３とを融着させて成型している。
【００１０】
本発明は、上記のように構成されているので、本粘稠体用容器は中身の粘稠体が少なくなって、残量が容器吐出部３に溜まるだけくらいになった際に、つまみ部５を指で摘まんで引っ張ると、紐状体４が、容器本体部２と容器吐出部３との融着部分から剥離し、容器吐出部３から容器本体部２を切り離すことができる。
【００１１】
このようにして、容器本体部２から切り離した容器吐出部３は、容器出口６を下に向けて置くと、切り口を上にして立つことになる。この容器吐出部３内の残余の粘稠体を、容器吐出部３の切り口のところから取り出すことによって、残余の粘稠体の全てを使用することができる。
【００１２】
容器本体部２と容器吐出部３の両切り口を波状に形成し、つまみ部５を有する紐状体４で融着して成型した、粘稠体用容器にあっては、そのつまみ部５を指で摘まんで引っ張ると、容器本体部２と容器吐出部３とは分離するが、それぞれの切り口は波状の曲線になり、その後に使用する容器吐出部３は、図４に示すように、形状に美しさがあり、美的感覚を与える粘稠体用容器として使用できる。
【００１３】
【発明の効果】
本発明になる粘稠体用容器は、上記のとおり構成されているので、次に記載する効果を奏する。
１．つまみ部５を指でつまみ、引っ張るだけで、紐状体４が容器本体部２と容器吐出部３から離れ、容器吐出部３から容器本体部２を簡単に切り離すことができる。
２．残り少なくなった粘稠体物は容器吐出部３に残っているので、残りの粘稠体物を、切り口となっている容器吐出部３のところから、容易に取り出して使い切ることができる。
３．本粘稠体用容器は、容器本体部２と容器吐出部３の二つに分離しているので、容器本体部２と容器吐出部３のそれぞれの部分を洗浄することが容易であり、分別して、資源ゴミとして出す際に極めて便利ものとなる。
４．切り口の形状を波状の曲線にしたにした容器吐出部３は、形状に美しさがあり、美的感覚を与える粘稠体用容器となっている。
５．従来の粘稠体用容器といえば、主婦は残り少なくなった時のことを考えると、陰鬱な気持ちになる人が多かったが、本粘稠体用容器のように残りの粘稠体が入った容器吐出部３だけにすることができる粘稠体用容器が出現することは、理想の粘稠体用容器が世に出ることになり、主婦が喜ぶことになる。
【００１４】
【図面の簡単な説明】
【図１】容器本体部２と容器吐出部３とを融着させて成型した粘稠体用容器の斜視図である。
【図２】容器本体部２と容器吐出部３とに分割して成型した粘稠体用容器の部分斜視図である。
【図３】容器本体部２を切り離した容器吐出部３の斜視図である。
【図４】切り離しの形状を波状にした容器本体部２と容器吐出部３との部分正面図である。
【００１５】
【符号の説明】
（１）    は  狭搾部
（２）    は  容器本体部
（３）    は  容器吐出部
（４）    は  紐状体
（５）    は  つまみ部
（６）    は  容器出口
【図１】
2005015044.tif 000003
【図２】
2005015044.tif 000004
【図３】
2005015044.tif 000005
【図４】
2005015044.tif 000006